(57)【要約】      （修正有）【課題】電池に流れる電流の大きさと、電池に対する充電時間を正確に調節可能で、電池は安定的に充電され、過度に充電してしまうという状況の発生を回避することができる直列接続電池組の充電回路の提供。【解決手段】直列接続電池組の充電回路１は、充電ユニット１０、１組の電流抑制ユニット２１、１組のスイッチユニット２２、制御ユニット２０、複数組の電池連接端３０を備え、電流抑制ユニット２１は電流を抑制し、スイッチユニット２２は電流抑制ユニット２１と一つ一つ対応して電気的に連接し、回路を導通させ電流を流通させ、制御ユニット２０はスイッチユニット２２の導通或いは切断を制御し、電池の電量が飽和していないか探知し、充電ユニット１０を制御し、特定電流を電池に対して提供し充電し、または電力供給を停止する。【選択図】図１
2010273440.tif 000002
【特許請求の範囲】
【請求項１】
充電ユニット、電流抑制ユニット、スイッチユニット、複数組の電池連接端を備え、
前記充電ユニットは、電池充電時に必要な電力を提供し、
前記電流抑制ユニットは、電流を抑制し、
前記スイッチユニットは、前記電流抑制ユニットと一つ一つ対応して、電気的に連接し、回路を導通させ、電流を流通させ、
前記複数組の電池連接端は、電池と連接し、前記スイッチユニットと電気的に連接し、１組の連接端と前記充電ユニットは連接し、相互に隣接する２組の電池連接端は、電気的に連接することを特徴とする直列接続電池組の充電回路。
【請求項２】
請求項１記載の直列接続電池組の充電回路において、前記直列接続電池組の充電回路はさらに、制御ユニットを備え、
前記制御ユニットは、前記スイッチユニットの導通或いは切断を制御し、前記電池連接端中の電池が少なくないか探知し、電池の電量が飽和していないか探知し、或いは前記充電ユニットを制御し、特定電流を電池に対して提供し充電し、または電力供給を停止することを特徴とする直列接続電池組の充電回路。
【請求項３】
請求項１記載の直列接続電池組の充電回路において、前記電流抑制ユニットは、レジスター、定電流回路、或いは限電流回路であることを特徴とする直列接続電池組の充電回路。
【請求項４】
請求項１記載の直列接続電池組の充電回路において、前記スイッチユニットは、パワーMOS(Power MOS)、リレー、トランジスター、或いは絶縁ゲートバイポーラトランジスター(IGBT)であることを特徴とする直列接続電池組の充電回路。
【請求項５】
直列接続電池組の充電回路は、充電ユニット、電流制御回路、複数組の電池連接端を備え、
前記充電ユニットは、電池充電時に必要な電力を提供し、
前記電流制御回路は、電流を抑制し、
前記複数組の電池連接端は、電池と連接し、前記電流制御回路と電気的に連接し、１組の連接端と前記充電ユニットは連接し、相互に隣接する２組の電池連接端は、電気的に連接することを特徴とする直列接続電池組の充電回路。
【請求項６】
請求項５記載の直列接続電池組の充電回路において、前記電流制御回路は、定電流回路、或いは限電流回路であることを特徴とする直列接続電池組の充電回路。
【請求項７】
請求項５記載の直列接続電池組の充電回路において、前記直列接続電池組の充電回路はさらに、制御ユニットを備え、
前記制御ユニットは、前記電流制御回路を制御し、前記電池連接端中の電池が少なくないか探知し、電池の電量が飽和していないか探知し、或いは前記充電ユニットを制御し、特定電流を電池に対して提供し充電し、または電力供給を停止することを特徴とする直列接続電池組の充電回路。
【発明の詳細な説明】
【技術分野】
【０００１】
本発明は充電回路に関し、特に直列接続電池組（Charge Circuit  for Series Connection  Battery  Group）の充電回路に関する。
【背景技術】
【０００２】
従来の電池充電回路には、特許文献１、２が掲示する放電用の回路、特許文献３が掲示する電圧安定用の回路、特許文献４が掲示するバイパス回路とする回路がある。
しかし上記した構造は、すべて簡単な電子部品による制御で、専門に制御する回路を備えない。そのため、従来の方式により電池を受電する時には、充電量が不正確であることで、充電量が不足、或いは過度に充電するなどの問題があった。
【先行技術文献】
【特許文献】
【０００３】
【特許文献１】米国特許US5818201号明細書
【特許文献２】米国特許US7408325号明細書
【特許文献３】米国特許US6943530号明細書
【特許文献４】米国特許US5387857号明細書
【発明の概要】
【発明が解決しようとする課題】
【０００４】
本発明は、電池の充電量を正確に制御可能な直列接続電池組の充電回路を提供することである。
【課題を解決するための手段】
【０００５】
本発明は下記の直列接続電池組の充電回路を提供する。
直列接続電池組の充電回路は、充電ユニット、電流抑制ユニット、スイッチユニット、複数組の電池連接端を備え、
該充電ユニットは、電池充電時に必要な電力を提供し、
該電流抑制ユニットは、電流を抑制し、
該スイッチユニットは、該電流抑制ユニットと一つ一つ対応して、電気的に連接し、回路を導通させ、電流を流通させ、
該複数組の電池連接端は、電池と連接し、該スイッチユニットと電気的に連接し、一組の連接端と該充電ユニットは連接し、相互に隣接する２組の電池連接端は、電気的に連接し、
直列接続電池組の充電回路は、充電ユニット、電流制御回路、複数組の電池連接端を備え、
該充電ユニットは、電池充電時に必要な電力を提供し、
該電流制御回路は、電流を抑制し、
該複数組の電池連接端は、電池と連接し、該電流制御回路と電気的に連接し、１組の連接端と該充電ユニットは連接し、相互に隣接する２組の電池連接端は、電気的に連接する。
【発明の効果】
【０００６】
本発明直列接続電池組の充電回路の充電過程において、電流抑制ユニットとスイッチユニット、或いは電流制御回路は、電池を流れる電流の大きさ、及び電池に対して充電する時間を制御し、これにより電池は安定的に充電され、しかも充電が飽和に達していない、或いは過度に充電してしまうという状況の発生を回避することができる
【図面の簡単な説明】
【０００７】
【図１】本発明直列接続電池組充電回路のロジック制御信号の概略図である。
【図２】図１に示す直列接続電池組充電回路の第一実施例の回路図である。
【図３】図２に示す電池連接端のすべてに電池を設置し、充電する時の作業状態図である。
【図４】図２に示す電池連接端のいつくかにに電池を設置し、充電する時の作業状態図である。
【図５】図２に示す電池連接端に設置した、ある電池の容量が飽和に達した後の作業状態図である。
【図６】図２に示す電池連接端に設置した、すべての電池の容量が飽和に達した後の作業状態図である。
【図７】図２に示す電池連接端に電池を未設置の作業状態図である。
【図８】本発明直列接続電池組充電回路の第二実施例の回路構造概略図である。
【発明を実施するための形態】
【０００８】
図１、２に示すように、本発明直列接続電池組の充電回路１は、充電ユニット１０を備える。充電ユニット１０の一端には、直列接続する若干組の電池連接端３０を連接する。相互に隣接する２組の電池連接端３０は、電気的に連接する。電池連接端３０は、２個が相対する電池接点(図中のP1〜P2n)を備える。充電時には、各２個の電池接点間に、電池を設置する。充電ユニット１０の反対端には、制御ユニット２０を電気的に連接する。
【０００９】
電池連接端３０の一端には、電流抑制ユニット２１を連接し、制御ユニット２０に電気的に連接する。電流抑制ユニット２１は、電流の抑制に用いる。電流抑制ユニット２１の一端には、１個ずつ対応して、スイッチユニット２２を電気的に連接する。スイッチユニット２２と、電池連接端３０の反対端、及び制御ユニット２０とは電気的に連接する。制御ユニット２０とスイッチユニット２２との間には、レジスター２３を連接する。レジスター２３は、スイッチユニット２２とアースとの間の抵抗を低下させる。
【００１０】
電流抑制ユニット２１は、レジスター、定電流回路、或いは限電流回路である。本実施例中では、電流抑制ユニット２１は、レジスターである。スイッチユニット２２は、パワーMOS(Power MOS)、リレー、トランジスター、或いは絶縁ゲートバイポーラトランジスター(IGBT)である。本実施例中では、スイッチユニット２２は、トランジスターである。
【００１１】
電池連接端３０の電池接点P1、P2…P2n-1、P2n中に、n個の電池をセット、すなわちP1とP2との間に電池をセットし、P3とP4との間に電池をセットし、これら電池に対して充電を開始すると、充電電池と充電ユニット１０は、異なる状態の電圧探知信号及び電流探知信号を発し、制御ユニット２０へと発信する。制御ユニット２０は、これら信号に基づき調節を行い、異なる制御信号を発し、これにより各電池はみな、飽和にまで達し、しかも過度な充電を回避することができる。
【００１２】
電流探知信号と電圧探知信号は、電池の電流の大きさと電池両端の電圧の大きさ信号を通して、制御ユニット２０は、その電池が飽和に達しているか否かを判断し、速やかに調節を行なうことができる。制御ユニット２０は、様々な状況において、スイッチ制御信号を発し、スイッチユニット２２の切断或いは閉鎖を制御する。すべての電池が飽和状態に達すると、制御ユニット２０は、電流制御信号を充電ユニット１０へと伝送し、これにより充電ユニット１０は、細流電流だけを電池充電に対して提供する。
【００１３】
図２、３は、３個の電池をセット可能な直列接続電池組の充電回路を例として説明する。３個の電池のすべてがセットされ、充電を開始すると、制御ユニット２０は、制御信号を充電ユニット１０へと伝送し、電池充電に対する電力の提供を始める。同時に、制御ユニット２０は、制御信号を各スイッチユニット２２へも伝送し、これにより各スイッチユニット２２は切断状態となる。この時、充電電流の流れる方向は、充電ユニット１０から出力され、３個の電池へと直接流れ、それらに対して充電を行い、最後には回流する。
【００１４】
図４は、図２に示す回路中の電池連接端３０すべてに、電池がセットされている訳ではない、すなわちP3とP4との間に電池がセットされていない状態を例として説明する。制御ユニット２０は、スイッチ制御信号を、２個目のスイッチユニット２２へと伝送し、２個目のスイッチユニット２２を制御し導通させる。この時、充電電流は充電ユニット１０から出力され、P1とP2との間の電池へと流れた後、２個目の電流抑制ユニット２１と２個目のスイッチユニット２２を経由し、さらにP5とP6との間の電池へと流れる。
【００１５】
図５は、図２に示す回路中の電池連接端３０にセットされたある電池の電量が飽和に達した時、P3とP4との間にセットされる電池の電量が飽和になった状態を例として説明する。制御ユニット２０は、２個目のスイッチユニット２２を制御し導通させる。この時、充電電流は、充電ユニット１０から出力され、P1とP2との間の電池に流れた後、２個目の電流抑制ユニット２１の抑制作用により、一部の電流(抑制後の充電電流)だけが、２個目の電流抑制ユニット２１と２個目のスイッチユニット２２を通過する。２個目の電流抑制ユニット２１により抑制後の、残った一部の電流(細流電流)は、P3とP4との間の電池へと流れる。続いて、P5とP6との間の電池へと流れる前に、抑制後の充電電流と細流電流は、充電電流を再度集成し、さらにP5とP6との間の電池へと流れる。
【００１６】
図６は、図２に示す回路中の電池連接端３０にセットされた電池がすべて飽和に達した時について示す。制御ユニット２０がスイッチ信号を３個のスイッチユニット２２へと伝送し、３個のスイッチユニット２２を制御し、すべて導通状態とし、或いは制御ユニット２０は、電流制御信号を充電ユニット１０へと伝送し、充電ユニット１０を制御し、少量電流(細流電流)を提供し、３個の電池に対して、細流充電を行なう。本実施例中では、電池連接端３０中にセットする電池のすべてが、飽和状態に達した時、制御ユニット２０は電流制御信号を、充電ユニット１０へと伝送し、電池に対して細流充電を行なう。
【００１７】
図７は、図２に示す回路中の電池連接端３０にセットする電池が外された時について示す。制御ユニット２０は、スイッチ制御信号を、３個のスイッチユニット２２へと伝送し、３個のスイッチユニット２２を制御し、すべて切断状態とし、或いは制御ユニット２０は、電流制御信号を、充電ユニット１０へと伝送し、充電ユニット１０を制御し、電力の提供を停止させる。本実施例中では、図２に示す回路の電池連接端３０中、電池のすべてが取り外された時、制御ユニット２０は３個のスイッチユニット２２を制御し、すべて切断状態とする。
【００１８】
本発明直列接続電池組充電回路１の第二実施例の回路図である図８に示すように、それは第一実施例の回路構造と相似しているが、第一実施例中の電流抑制ユニット２１とスイッチユニット２２が、電流制御回路４０に置換されている。電流制御回路４０は、定電流回路或いは限電流回路である。第二実施例の作動原理は、第一実施例と相同であるため、ここでは詳述しない。
【００１９】
本発明直列接続電池組の充電回路１は、制御ユニット２０を通して充電ユニット１０、電流抑制ユニット２１、スイッチユニット２２、或いは電流制御回路４０に対して、正確な制御作用を及ぼす。こうして、各電池を流れる電流量を効果的に制御し、電池連接端３０にセットする電池はすべて、安定的に充電され、しかも充電が飽和に達していない、或いは過度に充電してしまうという状況の発生を回避することができる。
【符号の説明】
【００２０】
１  直列接続電池組の充電回路
１０  充電ユニット
２０  制御ユニット
２１  電流抑制ユニット
２２  スイッチユニット
２３  レジスター
３０  電池連接端
４０  電流制御回路
P1〜P2n  電池接点
【図１】
2010273440.tif 000003
【図２】
2010273440.tif 000004
【図３】
2010273440.tif 000005
【図４】
2010273440.tif 000006
【図５】
2010273440.tif 000007
【図６】
2010273440.tif 000008
【図７】
2010273440.tif 000009
【図８】
2010273440.tif 000010